(57)【要約】【課題】体重と基礎代謝量の変化の関係を容易に把握することにより運動量と食事量との関係が適切かどうかを判定できるようにする。【解決手段】縦軸に測定開始時の初期値からの体重増減量が表され、横軸に１時間あたりの夜間体重減少量が表されている。１時間あたりの夜間体重減少量は、基礎代謝量を反映した値となっているため、１時間あたりの夜間体重減少量と、体重増減量を２次元表示することにより、基礎代謝量と体重の増減の関係を表示することが可能となる。測定開始点を基準して、測定点が移動することが望まれるエリアが目標エリア５２として設定され、測定点が移動することが望まれる方向が目標ライン５１により示されている。【選択図】図５
2008145311.tif 000002
【特許請求の範囲】
【請求項１】
体重を測定するための測定手段と、
前記測定手段により測定された体重を測定した時刻とともに記憶する記憶手段と、
前記記憶手段により記憶されている体重値のうちの異なる時刻において測定された少なくとも２つの体重値により、ある期間あたりの体重減少量を算出する算出手段と、
生体情報を表示するための表示手段と、
前記測定手段により測定された体重の増減量と、前記算出手段により算出されたある期間あたりの体重減少量との関係を２次元表示するよう前記表示手段を制御する制御手段と、
を有する生体情報管理システム。
【請求項２】
測定手段により測定された体重値を受け付ける受付手段と、
前記受付手段により受け付けられた体重を測定された時刻とともに記憶する記憶手段と、
前記記憶手段により記憶されている体重値のうちの異なる時刻において測定された少なくとも２つの体重値により、ある期間あたりの体重減少量を算出する算出手段と、
生体情報を表示するための表示手段と、
前記受付手段により受け付けられた体重の増減量と、前記算出手段により算出されたある期間あたりの体重減少量との関係を２次元表示するよう前記表示手段を制御する制御手段と、
を有する生体情報管理システム。
【請求項３】
前記制御手段は、基準値からの体重の増減量とある期間あたりの体重減少量との関係を前記表示手段に表示する際に、目標とすべきエリアまたは目標とすべきラインを前記表示手段に表示させる請求項１または２記載の生体情報管理システム。
【請求項４】
体重測定装置により測定された体重を測定された時刻とともに記憶し、
記憶されている体重値のうちの異なる時刻において測定された少なくとも２つの体重値により、ある期間あたりの体重減少量を算出し、
測定された体重の基準値からの増減量と、前記算出手段により算出されたある期間あたりの体重減少量との関係を表示装置に２次元表示させる生体情報管理方法。
【請求項５】
体重測定装置により測定された体重を測定された時刻とともに記憶するステップと、
記憶されている体重値のうちの異なる時刻において測定された少なくとも２つの体重値により、ある期間あたりの体重減少量を算出するステップと、
測定された体重の基準値からの増減量と、前記算出手段により算出されたある期間あたりの体重減少量との関係を表示装置に２次元表示させるステップとをコンピュータに実行させるためのプログラム。
【発明の詳細な説明】
【技術分野】
【０００１】
本発明は、被測定者の生体情報、特に体重および基礎代謝量を管理するための生体情報管理システムに関する。
【背景技術】
【０００２】
近年、食事の欧米化や運動不足に伴い、肥満症の増加が問題となっている。特に、肥満症のうちでも内臓脂肪量が多い内臓脂肪型肥満の増加が問題となっている。そして、内臓脂肪蓄積により高血圧症、糖尿病、高脂血症等のさまざまな病気が誘発された状態は、メタボリックシンドローム（内臓脂肪症候群）と呼ばれて注目されるようになっている。このメタボリックシンドロームに陥った人は、心筋梗塞や脳梗塞などの動脈硬化性疾患の危険性が高まるため、治療の対象として考えられるようにさえなってきている。
【０００３】
このような肥満症の予防または改善を行うことを目的として、対象となる者の体重を定期的に測定して管理する方法が行われている。
【０００４】
しかし、一般的な人は、太り過ぎを防止して体重を減少させようとした場合、無理な食事制限を行って体重を減らすことばかりに目がいってしまう。しかし、運動をしないで食事量を減らしただけでは、かえって筋肉量を落として基礎代謝量を減らしてしまうことになってしまう。このような過度な食事制限を行って体重を減少させた場合、基礎代謝量が減少してしまっているため、食事制限を中止して通常の食事量に戻した場合、脂肪が増加して体重が前よりも増加してしまうというリバウンド現象がおきてしまう。
【０００５】
しかし、体重のみを管理していたのでは、過度な食事制限が行われて体重は減少しているが基礎代謝量も減ってしまっているのか、適度な運動と共に適切な食事制限が行われているのかを判断することはできない。
【０００６】
基礎代謝量を測定する方法としては様々な方法が提案されている。例えば特許文献１には、被測定者の生体インピーダンスを測定し、この生体インピーダンスに基づいて除脂肪量を演算し、この除脂肪量から基礎対処量を計算するという方法が開示されている。生体インピーダンスは、両足を電極の上に載せ、この電極間に電流を流すことにより測定される。
【０００７】
しかし、このような基礎代謝量の測定方法では、生体インピーダンスを測定する必要があるので、両足の置き方等により測定結果が変動し、得られた基礎代謝量も不正確になりやすいという問題点があった。また、体重とは別に基礎代謝量を測定するための測定装置が必要となる。さらに、体重と基礎代謝量とはそれぞれ独立して表示されるため、体重の増減と基礎代謝量の増減との関係がどのようになっているかを容易に把握することが困難である。
【０００８】
【特許文献１】特開２００２−１７２０９９号公報
【発明の開示】
【発明が解決しようとする課題】
【０００９】
上述した従来のシステムでは、体重と基礎代謝量とをそれぞれ独立して測定して管理しているため、体重の増減と基礎代謝量の増減がどのような関係にあるのかを把握することは困難であるという問題点があった。
【００１０】
本発明の目的は、体重と基礎代謝量の変化の関係を容易に把握することにより運動量と食事量との関係が適切かどうかを判定することができる生体情報管理システムおよび方法を提供することである。
【課題を解決するための手段】
【００１１】
［生体情報管理システム］
上記目的を達成するために、本発明の生体情報管理システムは、体重を測定するための測定手段と、
前記測定手段により測定された体重を測定した時刻とともに記憶する記憶手段と、
前記記憶手段により記憶されている体重値のうちの異なる時刻において測定された少なくとも２つの体重値により、ある期間あたりの体重減少量を算出する算出手段と、
生体情報を表示するための表示手段と、
前記測定手段により測定された体重の増減量と、前記算出手段により算出されたある期間あたりの体重減少量との関係を２次元表示するよう前記表示手段を制御する制御手段とを有する。
【００１２】
本発明によれば、体重増減量と、ある期間あたりの体重減少量との関係を２次元表示することにより、体重と基礎代謝量の変化の関係を容易に把握することが可能となる。そのため、体重と基礎代謝量の管理をそれぞれ独立して行っていた従来の管理方法と比較すると、食事量と運動量のいずれが適切でいずれが不適切であるのかを判断することが容易となる。
【００１３】
また、本発明の生体情報管理システムは、測定手段により測定された体重値を受け付ける受付手段と、
前記受付手段により受け付けられた体重を測定された時刻とともに記憶する記憶手段と、
前記記憶手段により記憶されている体重値のうちの異なる時刻において測定された少なくとも２つの体重値により、ある期間あたりの体重減少量を算出する算出手段と、
生体情報を表示するための表示手段と、
前記受付手段により受け付けられた体重の増減量と、前記算出手段により算出されたある期間あたりの体重減少量との関係を２次元表示するよう前記表示手段を制御する制御手段とを有する。
【００１４】
好ましくは、前記制御手段は、基準値からの体重の増減量とある期間あたりの体重減少量との関係を前記表示手段に表示する際に、目標とすべきエリアまたは目標とすべきラインを前記表示手段に表示させる。
【００１５】
［生体情報管理方法］
また、本発明の生体情報管理方法は、体重測定装置により測定された体重を測定された時刻とともに記憶し、
記憶されている体重値のうちの異なる時刻において測定された少なくとも２つの体重値により、ある期間あたりの体重減少量を算出し、
測定された体重の基準値からの増減量と、前記算出手段により算出されたある期間あたりの体重減少量との関係を表示装置に２次元表示させる。
【００１６】
［プログラム］
また、本発明のプログラムは、体重測定装置により測定された体重を測定された時刻とともに記憶するステップと、
記憶されている体重値のうちの異なる時刻において測定された少なくとも２つの体重値により、ある期間あたりの体重減少量を算出するステップと、
測定された体重の基準値からの増減量と、前記算出手段により算出されたある期間あたりの体重減少量との関係を表示装置に２次元表示させるステップとをコンピュータに実行させる。
【発明の効果】
【００１７】
以上説明したように、本発明によれば、体重増減量と、ある期間あたりの体重減少量との関係を２次元表示することにより、体重と基礎代謝量の変化の関係を容易に把握することが可能となり、食事量と運動量のいずれが適切でいずれが不適切であるのかを判断できるようになるという効果を得ることができる。
【発明を実施するための最良の形態】
【００１８】
次に、本発明の実施の形態について図面を参照して詳細に説明する。図１は本発明の一実施形態の生体情報管理システム７の構成を示すシステム図である。
【００１９】
本実施形態では、安静時として夜間の就寝時を用いた場合について説明を行う。しかし、飲食物を摂取せず、生活活動を行わない安静時であれば就寝時以外でも本実施形態を適用することは可能である。
【００２０】
本実施形態の生体情報管理システムは、図１に示されるように、端末装置１０と、被測定者の体重を測定するための体重計２０とから構成されている。
【００２１】
体重計２０は、体重を測定するための測定部２１と、この測定部２１により測定された体重を表示するための表示部２２とから構成されている。そして、体重計２０の測定部２１により測定された体重情報は端末装置１０に送信される。体重計２０と端末装置１０との間は、有線通信により接続するようにしてもよいし、無線通信により接続するようにしてもよい。
【００２２】
次に、本実施形態の端末装置１０の具体的な構成を図２に示す。
本実施形態の端末装置１０は、図２に示されるように、入力部１１と、表示装置１２と、記憶部１３と、体重情報受信部１４と、ＣＰＵ（中央演算処理装置）１５と、タイマ１６と、ネットワークインタフェース１７とが、バス１８により接続された構成となっている。
【００２３】
体重情報受信部１４は、体重計２０から送信されてきた体重情報を受信して記憶部１３に記憶させる。タイマ１６は、ＣＰＵ１５によりセット、リセットの制御がなされ、セットされた時刻からの経過時間を計測する。
【００２４】
ネットワークインタフェース１７は、例えば、ＬＡＮ（Local Area Network）等を介してパーソナルコンピュータ等と接続するようになっている。
【００２５】
表示装置１２は、例えば液晶モニタにより構成され、測定された生体情報や入力ガイダンス等を表示する。
【００２６】
また、入力部１１には、被測定者の名前、年齢、性別、身長等の情報を入力することが可能なような操作部が設けられている。この入力部１１から入力された各種の情報は記憶部１３に記憶される。
【００２７】
ＣＰＵ１６は、所定のプログラムに基づいて入力部１１、表示装置１２、記憶部１３、体重情報受信部１４、タイマ１６、ネットワークインタフェース１７等の制御を行うことにより被測定者の体重等の生体情報の測定を行う。
【００２８】
このようにして所定のプログラムに基づいた処理が行われることにより実現される端末装置１０の機能構成例を図３に示す。
【００２９】
本実施形態の生体情報管理システム７における端末装置１０は、図３に示されるように、入力部１１と、表示装置１２と、体重情報受信部１４と、タイマ１６と、算出部３１と、体重データ記憶部３２と、制御部３３とから構成されている。
【００３０】
体重データ記憶部３２は、体重計２０により測定され、体重情報受信部１４により受け付けられた体重値のデータを測定された時刻とともに記憶する。
【００３１】
算出部３１は、体重データ記憶部３２により記憶されている体重値のうちの異なる時刻において測定された少なくとも２つの体重値により、ある期間あたりの体重減少量を算出する。なお、本実施形態では、算出部３１は、就寝前の体重値と起床後の体重値との差により夜間体重減少量を演算し、この夜間体重減少量を睡眠時間で割ることにより１時間あたりの体重減少量を算出するものとする。
【００３２】
制御部３３は、体重計２０により測定された体重の増減量と、算出部３１により算出された１時間あたりの体重減少量との関係を２次元表示する。ここで、制御部３３は、測定開始時における体重を基準として、体重計２０により測定された体重の増減量を算出する。
【００３３】
なお、睡眠時のような安静時における体重減少量が基礎代謝量と相関関係にあることは、例えば特開２００６−１２２５４２号公報等により開示されているよう公知である。そのため、算出部３１により算出される１時間あたりの体重減少量は、被測定者の基礎代謝量を反映した値となっている。
【００３４】
次に、本実施形態の生体情報管理システム７の動作を図４のフローチャートを参照して詳細に説明する。
【００３５】
先ず、入力部１１を介して、被測定者の名前、年齢、性別、身長等の情報が入力される（ステップＳ１０１）。
【００３６】
実際の測定が行われる場合、体重計２０により被測定者の就寝前の体重が測定され、測定が行われた時刻とともに体重データ記憶部３２に格納される（ステップＳ１０２）。そして、起床後の測定者の体重が体重計２０により測定され、測定が行われた時刻とともに体重データ記憶部３２に格納される（ステップＳ１０３）。
【００３７】
すると、算出部３１は、体重データ記憶部３２に記憶された就寝前の体重値と起床後の体重値との差から夜間体重減少量を求め、この値を睡眠時間（就寝前の測定時刻と起床後の測定時刻の間の時間）によって割ることにより、１時間あたりの体重減少量を算出する（ステップ１０４）。例えば、就寝前の体重測定の結果が５５．６ｋｇで起床後の体重測定の結果が５５．３２ｋｇであったとし、就寝前と起床後の測定時刻が、それぞれ、２３時００分と６時００分であったとすると、１時間あたりの体重減少量は下記のような式により算出される。
（５５．６ｋｇ−５５．３２ｋｇ）／７ｈ＝４０ｇ／ｈ
【００３８】
次に、制御部３３は、算出部３１により算出された１時間あたりの体重減少量と、体重値の増減量を表示装置１２に対して２次元表示する（ステップＳ１０５）。ここでは、体重変動を測定するための定点時刻として起床後を用いているため、起床後の体重と測定開始時に設定された初期体重値との差を体重増減量として算出するものとする。例えば、制御部３３により設定された初期体重値が５３．５ｋｇの場合、体重増減量は、下記の式により算出され＋１．８２ｋｇとなる。
５５．３２ｋｇ（起床後の体重値）−５３．５ｋｇ（初期体重値）＝１．８２ｋｇ
【００３９】
そして、上記のステップＳ１０３〜Ｓ１０６に示した処理が、体重管理の必要が無いと判断されて終了するまで、例えば毎日行われ（ステップＳ１０６）。なお、この測定はかならずしも毎日の必要はなく、２日おき、３日おき、１週間毎のように定期的に行うようにすればよい。
【００４０】
このようにして表示装置１２において行われる表示例を図５に示す。図５に示した表示例では、縦軸に初期値からの体重増減量が表され、横軸に１時間あたりの夜間体重減少量が表されている。そして、１日毎に測定された基準値からの体重蔵減量と夜間体重減少量とにより示される場所に黒丸の表示が行われている。
【００４１】
上述したように１時間あたりの夜間体重減少量は、基礎代謝量を反映した値となっている。そのため、１時間あたりの夜間体重減少量と、体重増減量を２次元表示することにより、基礎代謝量と体重の増減の関係を表示することが可能となる。
【００４２】
図５では、１時間あたりの夜間体重減少量が増加してはいるが、体重も増加している場合には、運動量は良いが、食事量が多すぎる旨の表示が行われている。また、１時間あたりの夜間体重減少量が増加して、体重は減少している場合には、運動量、食事量共に適切である旨の表示が行われている。また、１時間あたりの夜間体重減少量が減少して、体重が増加している場合には、運動量も不足しているし、食事量も多すぎる旨の表示が行われている。さらに、１時間あたりの夜間体重減少量が減少してはいるが、体重は減少している場合には、運動量は不足しているが、食事量は適切である旨の表示が行われている。
【００４３】
ここで、１時間あたりの夜間体重減少量が増加、つまり基礎代謝量が増加して、体重が減少することが理想的な変化であると考えられる。そのため、図５に示した表示例では、測定開始点を基準して、測定点が移動することが望まれるエリアが目標エリア５２として設定され、測定点が移動することが望まれる方向が目標ライン５１により示されている。
【００４４】
このように、本実施形態の生体情報管理システム７によれば、体重増減量と、基礎代謝量を反映した値である１時間あたりの夜間体重減少量との関係を２次元表示することにより、体重増減量と基礎代謝量の変化の関係を容易に把握することが可能となる。
【００４５】
そのため、体重の管理のみしか行われていなかったり、体重と基礎代謝量とがそれぞれ独立して管理されていた従来の管理方法と比較すると、食事量と運動量のいずれが適切でいずれが不適切であるのかを判断することが可能となる。つまり、体重が減少している場合でも、過度な食事制限による体重減少なのか、適度な運動が行われている上での体重減少なのかを判断することが可能となる。また、体重が増加している場合でも、ただ単なる食べすぎによる体重増加なのか、適度な運動が行われているにもかかわらず運動量を越えるような食事の摂取が行われているのかを判断することが可能となる。
【００４６】
この結果、本実施形態の生体情報管理システム７により第三者が被測定者の体重管理を行う場合には、被測定者に対して食事量、運動量をどのようにすればよいかという適切なアドバイスをすることが可能となる。また、自己管理の下で本実施形態の生体情報管理システム７による測定が行われている場合には、被測定者は今後どのような方向で運動量と食事量を管理すれば良いかを判断することが可能となる。
【００４７】
さらに、本実施形態の生体情報管理システム７では、被測定者の体重を測定するのみで上記のような表示を行うことが可能となる。つまり、体重計２０には、生体インピーダンスを測定する等の基礎代謝量を測定するための機能が備わっている必要はなく、ただ単に被測定者の体重を測定して、測定結果を端末装置１０に送信する機能のみがあれば良い。
【００４８】
なお、図５に示した表示例では、１時間あたりの夜間体重減少量については、測定開始時の初期値を座標軸の中心に設定しているのではなく、年齢、性別、身長等によって求められる標準値を座標軸の中心に設定している。これは、夜間体重減少量つまり基礎代謝量が標準的な値と比較して多いのか少ないのかを容易に把握することができるようにするためである。
【００４９】
[変形例]
また、上記実施形態では、就寝前と起床後の体重値により夜間体重減少量を算出して、基礎代謝量を反映した値である１時間あたりの体重減少量を求めるようにしていたが、本発明はこのような場合に限定されるものではなく、異なる時刻において測定された少なくとも２つの体重値により安静にしている期間における体重減少量を算出すれば同様の効果を得ることができる。
【００５０】
また、上記実施形態では、ある期間あたりの体重減少量として１時間あたりの体重減少量を使用した場合を用いて説明しているが、この期間は１時間に限定されるものではない。
【００５１】
さらに、上記実施形態では、算出部３１は、就寝前の体重と起床後の体重との差を睡眠時間で割ったものを１時間あたりの夜間体重減少量としていたが、厳密には睡眠時の体重減少は基礎代謝量によるものだけではない。睡眠時の体重減少の要因として、基礎代謝量以外のものとしては、エネルギー変換時に生じる代謝水の影響や、皮膚および呼吸によって意識されずに水分が蒸発する不感蒸泄の影響等も存在する。そのため、夜間の体重減少量を、代謝水量や不感蒸泄量の標準的な値により補正するようにすればさらに精度の高い結果を得ることが可能となる。
【図面の簡単な説明】
【００５２】
【図１】本発明の一実施形態の生体情報管理システム７の構成を示すシステム図である。
【図２】本発明の一実施形態の生体情報管理システム７における端末装置１０の具体的なハードウェア構成を示すブロック図である。
【図３】本発明の一実施形態の生体情報管理システム７における端末装置１０の機能構成を示すブロック図である。
【図４】本発明の一実施形態の生体情報管理システム７の動作を示すフローチャートである。
【図５】本発明の一実施形態の生体情報管理システム７の表示装置１２における表示例を示す図である。
【符号の説明】
【００５３】
７    生体情報管理システム
１０    端末装置
１１    入力部
１２    表示装置
１３    記憶部
１４    体重情報受信部
１５    ＣＰＵ
１６    タイマ
１７    ネットワークインタフェース
１８    バス
２０    体重計
２１    測定部
２２    表示部
３１    算出部
３２    体重データ記憶部
３３    制御部
５１    目標ライン
５２    目標エリア
Ｓ１０１〜Ｓ１０６    ステップ
【図１】
2008145311.tif 000003
【図２】
2008145311.tif 000004
【図３】
2008145311.tif 000005
【図４】
2008145311.tif 000006
【図５】
2008145311.tif 000007
【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
体重を測定するための測定手段と、
前記測定手段により測定された体重を測定した時刻とともに記憶する記憶手段と、
前記記憶手段により記憶されている体重値のうちの異なる時刻において測定された少なくとも２つの体重値により、ある期間あたりの体重減少量を算出する算出手段と、
生体情報を表示するための表示手段と、
前記測定手段により測定された体重の基準値からの増減量と、前記算出手段により算出されたある期間あたりの体重減少量との関係を、一方を縦軸に設定し他方を横軸に設定して２次元表示するよう前記表示手段を制御する制御手段と、
を有する生体情報管理システム。
【請求項２】
測定手段により測定された体重値を受け付ける受付手段と、
前記受付手段により受け付けられた体重を測定された時刻とともに記憶する記憶手段と、
前記記憶手段により記憶されている体重値のうちの異なる時刻において測定された少なくとも２つの体重値により、ある期間あたりの体重減少量を算出する算出手段と、
生体情報を表示するための表示手段と、
前記受付手段により受け付けられた体重の基準値からの増減量と、前記算出手段により算出されたある期間あたりの体重減少量との関係を、一方を縦軸に設定し他方を横軸に設定して２次元表示するよう前記表示手段を制御する制御手段と、
を有する生体情報管理システム。
【請求項３】
前記制御手段は、基準値からの体重の増減量とある期間あたりの体重減少量との関係を前記表示手段に表示する際に、目標とすべきエリアまたは目標とすべきラインを前記表示手段に表示させる請求項１または２記載の生体情報管理システム。
【請求項４】
体重を測定するための測定手段と、前記測定手段により測定された体重を測定した時刻とともに記憶する記憶手段と、生体情報を表示するための表示手段とを有する生体情報管理システムの制御方法であって、
前記測定手段により測定された体重を測定された時刻とともに前記記憶手段に記憶させ、
前記記憶手段に記憶されている体重値のうちの異なる時刻において測定された少なくとも２つの体重値により、ある期間あたりの体重減少量を算出し、
測定された体重の基準値からの増減量と、算出されたある期間あたりの体重減少量との関係を、一方を縦軸に設定し他方を横軸に設定して前記表示手段に２次元表示させる生体情報管理システムの制御方法。
【請求項５】
体重測定装置により測定された体重を測定された時刻とともに記憶するステップと、
記憶されている体重値のうちの異なる時刻において測定された少なくとも２つの体重値により、ある期間あたりの体重減少量を算出するステップと、
測定された体重の基準値からの増減量と、算出されたある期間あたりの体重減少量との関係を、一方を縦軸に設定し他方を横軸に設定して表示装置に２次元表示させるステップとをコンピュータに実行させるためのプログラム。
【手続補正３】
【補正対象書類名】明細書
【補正対象項目名】００１０
【補正方法】変更
【補正の内容】
【００１０】
本発明の目的は、体重と基礎代謝量の変化の関係を容易に把握することにより運動量と食事量との関係が適切かどうかを判定することができる生体情報管理システムおよびその制御方法を提供することである。
【手続補正４】
【補正対象書類名】明細書
【補正対象項目名】００１１
【補正方法】変更
【補正の内容】
【００１１】
［生体情報管理システム］
上記目的を達成するために、本発明の生体情報管理システムは、体重を測定するための測定手段と、
前記測定手段により測定された体重を測定した時刻とともに記憶する記憶手段と、
前記記憶手段により記憶されている体重値のうちの異なる時刻において測定された少なくとも２つの体重値により、ある期間あたりの体重減少量を算出する算出手段と、
生体情報を表示するための表示手段と、
前記測定手段により測定された体重の基準値からの増減量と、前記算出手段により算出されたある期間あたりの体重減少量との関係を、一方を縦軸に設定し他方を横軸に設定して２次元表示するよう前記表示手段を制御する制御手段とを有する。
【手続補正５】
【補正対象書類名】明細書
【補正対象項目名】００１３
【補正方法】変更
【補正の内容】
【００１３】
また、本発明の生体情報管理システムは、測定手段により測定された体重値を受け付ける受付手段と、
前記受付手段により受け付けられた体重を測定された時刻とともに記憶する記憶手段と、
前記記憶手段により記憶されている体重値のうちの異なる時刻において測定された少なくとも２つの体重値により、ある期間あたりの体重減少量を算出する算出手段と、
生体情報を表示するための表示手段と、
前記受付手段により受け付けられた体重の基準値からの増減量と、前記算出手段により算出されたある期間あたりの体重減少量との関係を、一方を縦軸に設定し他方を横軸に設定して２次元表示するよう前記表示手段を制御する制御手段とを有する。
【手続補正６】
【補正対象書類名】明細書
【補正対象項目名】００１５
【補正方法】変更
【補正の内容】
【００１５】
［生体情報管理システムの制御方法］
また、本発明の生体情報管理システムの制御方法は、体重を測定するための測定手段と、前記測定手段により測定された体重を測定した時刻とともに記憶する記憶手段と、生体情報を表示するための表示手段とを有する生体情報管理システムの制御方法であって、
前記測定手段により測定された体重を測定された時刻とともに前記記憶手段に記憶させ、
前記記憶手段に記憶されている体重値のうちの異なる時刻において測定された少なくとも２つの体重値により、ある期間あたりの体重減少量を算出し、
測定された体重の基準値からの増減量と、算出されたある期間あたりの体重減少量との関係を、一方を縦軸に設定し他方を横軸に設定して前記表示手段に２次元表示させる。
【手続補正７】
【補正対象書類名】明細書
【補正対象項目名】００１６
【補正方法】変更
【補正の内容】
【００１６】
［プログラム］
また、本発明のプログラムは、体重測定装置により測定された体重を測定された時刻とともに記憶するステップと、
記憶されている体重値のうちの異なる時刻において測定された少なくとも２つの体重値により、ある期間あたりの体重減少量を算出するステップと、
測定された体重の基準値からの増減量と、算出されたある期間あたりの体重減少量との関係を、一方を縦軸に設定し他方を横軸に設定して表示装置に２次元表示させるステップとをコンピュータに実行させる。
【手続補正８】
【補正対象書類名】明細書
【補正対象項目名】００４０
【補正方法】変更
【補正の内容】
【００４０】
このようにして表示装置１２において行われる表示例を図５に示す。図５に示した表示例では、縦軸に初期値からの体重増減量が表され、横軸に１時間あたりの夜間体重減少量が表されている。そして、１日毎に測定された基準値からの体重増減量と夜間体重減少量とにより示される場所に黒丸の表示が行われている。